(57)【要約】【課題】  コンテナ容器における排出筒内へのノズルの挿入作業が簡単容易に能率よく行えると共に、開閉手段を不用にしてコンテナ容器の構造を簡略化することができるコンテナ容器用内を提供する。【解決手段】  容器本体３の下部に排出筒４を有するコンテナ容器１の内部に装着する内袋５が、容器本体３内に位置させる内袋本体６と、排出筒４内に挿入するよう内袋本体６の底部に内部と連通する状態で取付けられたノズル７とからなり、このノズル７が、下端部外周に鍔部１０が設けられた伸縮自在の蛇腹筒１１と、この蛇腹筒１１の下端付近の外面にその一方端を接合して蛇腹筒１１の外面上に折り畳まれ、延ばした時には蛇腹筒１１の下端部を覆う可撓筒状体１２と、取り外し可能な接続手段を介して前記蛇腹筒１１に取付けた所要長さを有する紐状部材１３とで形成されている。【選択図】図２
2005280841.tif 000002
【特許請求の範囲】
【請求項１】
容器本体の下部に排出筒を有するコンテナ容器の内部に装着する内袋であって、容器本体内に位置させる内袋本体と、排出筒内に挿入するよう内袋本体の底部に内部と連通する状態で取付けられたノズルとからなり、前記ノズルが、下端部外周に鍔部が設けられた伸縮自在の蛇腹筒と、この蛇腹筒の下端付近の外面にその一方端を接合して蛇腹筒の外面上に折り畳まれ、延ばした時には蛇腹筒の下端部を覆う可撓筒状体と、取り外し可能な接続手段を介して前記蛇腹筒に取付けた所要長さを有する紐状部材とで形成されているコンテナ容器用内袋。
【請求項２】
上記請求項１のコンテナ容器用内袋において、紐状部材は、先端部の錘と、接続手段として蛇腹筒を巻回して締め付け固定する締結部材とを有するコンテナ容器用内袋。
【発明の詳細な説明】
【技術分野】
【０００１】
この発明は、各種流体の輸送や収納に使用するコンテナ容器の内袋に関する。
【背景技術】
【０００２】
各種流体の輸送や収納に使用するコンテナ容器は、金属製容器本体の下部に排出筒とバルブを設けた構造を有し、この容器本体の内部に装着した内袋内に流動物を収納し、内袋本体の底部に内部と連通する状態で取付けられたノズルを排出筒内に位置させ、バルブを開くことにより、流動物の取出しを行うものであり、内袋内に流動物を収納することにより、流動物と容器本体の直接的な接触の発生がなく、収納する流動物の種類を変更するときは、内袋を取り換えればよいので、容器本体の洗浄が不要になり、洗浄コストの低減が可能になるという利点がある。
【０００３】
従来の内袋におけるノズルは、排出筒の曲がり形状に対応することができるよう可撓性を有する材料で形成され、その上端を内袋本体の底部に溶着等により接続され内袋本体と一体化構造となっており、コンテナ容器内とその排出筒内と内容物たる流動物の接触を防止している（例えば、特許文献１，特許文献２，特許文献３参照）
【特許文献１】特許第２９１５３４２号公報
【特許文献２】特開２０００−１６８８８８号公報
【特許文献３】特開２００１−１２２３８９号公報
【発明の開示】
【発明が解決しようとする課題】
【０００４】
ところで、上記した内袋は、コンテナ容器内への装着時にノズルを排出筒内に挿入しなければならないが、排出筒は、例えば、容器本体の底部から垂下して途中から水平に屈曲した形状になっているので、容器本体内に上端開口から内袋を挿入し、その下端に位置するノズルを排出筒に挿入するのは、ノズルに可撓性があっても作業的に極めて行いにくいという問題がある。
【０００５】
また、コンテナ容器の中身を取り替えるために内袋を取り出す際にはノズルが排出筒内へ引き込まれるが、ノズル先端が開放されているため、ノズル内に残留していた流動物がノズル先端から流れ出し、排出筒内やコンテナ容器内部を汚染してしまい、その後排出筒やコンテナ容器の洗浄が必要となってしまうという問題があった。
【０００６】
そこで、この発明の課題は、排出筒内へのノズルの挿入作業が簡単容易に能率よく行えると共に、内袋取り出しの際も排出筒内等を汚染することがなく、洗浄作業を不要にすることができるコンテナ容器用内袋を提供することにある。
【課題を解決するための手段】
【０００７】
上記のような課題を解決するため、請求項１の発明は、容器本体の下部に排出筒を有するコンテナ容器の内部に装着する内袋であって、容器本体内に位置させる内袋本体と、排出筒内に挿入するよう内袋本体の底部に内部と連通する状態で取付けられたノズルとからなり、前記ノズルが、下端部外周に鍔部が設けられた伸縮自在の蛇腹筒と、この蛇腹筒の下端付近の外面にその一方端を接合して蛇腹筒の外面上に折り畳まれ、延ばした時には蛇腹筒の下端部を覆う可撓筒状体と、取り外し可能な接続手段を介して前記蛇腹筒に取付けた所要長さを有する紐状部材とで形成されている構成を採用したものである。
【０００８】
上記ノズルにおける蛇腹筒は、ポリエチレン等を用いた内袋本体と別体のものでも、内袋本体と一体成形の何れでもよく、両端にストレートな円筒部を有し、下端部に設けた鍔部は、コンテナ容器の排出筒の先端開口に係止できる外径になっている。
【０００９】
上記可撓筒状体は、ポリエチレン等を用い蛇腹筒の直径と略等しい直径の両端開放の筒状で、一方端を蛇腹筒の下端円筒部の外面をとり囲むように接合し、通常時は蛇腹筒の外面上に折り畳まれているが、他方端を延ばすと、内部に蛇腹筒下端部を含んだ状態で筒状となり、この他方端を適宜手段で封鎖すれば、ノズル開口部を閉鎖できるようになっている。
【００１０】
また、紐状部材は、例えば、切断可能な紐やテープ、又は紐状部材と蛇腹筒間にて設けた穴とフックによる係止手段等の種々の取り外し可能な接続手段を介して蛇腹筒に接続されている。
【００１１】
このように、コンテナ容器は、容器本体の内面が内袋本体で覆われ、排出筒の内部にノズルが存在するので、収納した流動物とコンテナ容器との接触はなく、流動物の変更時に内袋を取り換えるだけで、容器本体内及び排出筒内の洗浄は不要となる。
【００１２】
次に、請求項２の発明は、上記請求項１のコンテナ容器用内袋において、紐状部材は、先端部の錘と、接続手段として蛇腹筒を巻回して締め付け固定する締結部材とを有する構成を採用したものである。
【００１３】
紐状部材は、その先端に設けられた錘により、重力により排出筒の中を錘により下降し、これに接続された蛇腹筒を排出筒内に導びくことになる。
【００１４】
また接続手段を、蛇腹筒の外周面に巻き付いて締め付ける締結部材とすることで、この締結部材の締結により紐状部材は蛇腹筒に固定され、蛇腹筒下端の鍔部の存在により抜け止めとなり外れることが無く、コンテナ容器に内袋を装着した後は、締結部材の締結解除により蛇腹筒から紐状部材を取り外し、再使用が可能となる。
【発明の効果】
【００１５】
請求項１の発明によると、排出筒内へのノズルの挿入時に、紐状部材を排出筒に通して開口端からこの紐状部材を引っ張ることにより、蛇腹筒を容器本体内から排出筒内に引き込むことができ、蛇腹筒はその伸縮と可曲性で排出筒の曲がり形状に沿うことにより、排出筒内へのノズルの挿入作業が簡単容易に能率よく行え、また、蛇腹筒は伸縮と可曲性があるので、排出筒の種々の長さや曲がり形状に対応することができ、各種コンテナ容器に対して汎用性がある。
【００１６】
更に、排出筒内へのノズルの挿入後に、取り外し可能な接続手段を用いて紐状部材の取り外しが行なえ、作業効率がより向上する。
【００１７】
また、内袋の取り換え時は、蛇腹筒の外面上に折り畳まれていた可撓筒状体を延ばして、その端部を縛ることでノズルの先端を閉鎖でき、ノズルから排出筒内に流動物がこぼれるようなことがない。
【００１８】
次に、請求項２の発明によると、コンテナ容器への内袋装着時に、錘に加わる重力によりノズルは錘を下にして垂直方向となり、容器本体の下部の排出筒への入口と位置さえ合わせれば、容易に排出筒内にノズルを導入することができる。
【００１９】
また、錘に鉄等の強磁性体からなる金属やその合金を用いれば、排出筒の最下部へ達した錘に対して、水平方向に延びた排出筒の排出口から先端に磁石を取り付けた棒を挿入し、錘を磁石に吸着させたまま排出口から引き出せば、簡単にノズルを排出筒内に装着することができる。
【００２０】
更に、締結部材の締結解除により紐状部材を蛇腹筒より簡単に取り外すことができ、紐状部材の再利用も可能となる。
【発明を実施するための最良の形態】
【００２１】
内袋本体の底部に内部と連通する状態で取付けられたノズルを、下端部外周に鍔部が設けられた伸縮自在の蛇腹筒と、この蛇腹筒の下端付近の外面にその一方端部を接合して蛇腹筒の外面上に折り畳まれ、延ばした時には蛇腹筒の下端部を覆う可撓筒状体と、取り外し可能な接続手段を介して前記蛇腹筒に取付けた所要長さを有する紐状部材とで形成する。
【００２２】
なお、上記実施形態における紐状部材を、先端部の錘と、接続手段として蛇腹筒を巻回して締め付け固定する締結部材とを有する構成とすることもできる。
【実施例１】
【００２３】
図１のように、コンテナ容器１は、複数の支持脚２で自立するようにした金属製の容器本体３と、この容器本体３の底部に設けた排出筒４とからなり、排出筒４は、円筒パイプを用い、容器本体３の底部から垂下して途中から水平に屈曲した形状になっている。
【００２４】
上記コンテナ容器１の内部に装填する内袋５は、図２のように、容器本体３の内部に納まる内袋本体６と、この内袋本体６の底部に接続したノズル７とで形成され、内袋本体６は、ポリエチレン等の水密性のある樹脂を用い、上端に開口部を有し、底部が閉鎖された袋に形成されている。
【００２５】
上記ノズル７は、図２と図３のように、上端の外周に内袋本体６への取付け用の鍔部８を有する短い取付け筒９と、上端を前記取付け筒９の下端に接続し、下端部外周に鍔部１０が設けられた伸縮自在の蛇腹筒１１と、可撓性と気密水密性を有し、前記蛇腹筒１１の下端側にて、この蛇腹筒１１の外周を取り囲むようにしてその一方端部が接着固定され、他方端部が中間部で折り返されるように設けられた可撓筒状体１２と、前記蛇腹筒１１の先端の鍔部１０付近に取付けた所要長さを有する紐状部材１３とで形成されている。
【００２６】
上記した取付け筒９と蛇腹筒１１、可撓筒状体１２は、ポリエチレン等の可撓性のある樹脂を用い、それぞれ排出筒４の内部に納まる外径に形成し、取付け筒９と蛇腹筒１１は、図示のように別個に成形してもよいが、一体成形してもよい。
【００２７】
上記蛇腹筒１１は、伸縮と可曲性を有する所定長さの蛇腹部１４の両端にストレートの円筒部１５と１６を連成した構造を有し、上端の円筒部１５を取付け筒９の下端と水密状に接続すると共に、下端の円筒部１６の端部外周に設けられた円形の鍔部１０は、上記したコンテナ容器の排出筒４の外径と一致するかそれよりも少し大径となっている。
【００２８】
上記可撓筒状体１２は、蛇腹筒１１の円筒部１６と略等しい直径であり、その取り付けは、鍔部１０の可撓性を利用して蛇腹筒１１の下端部から外嵌挿入した後、その一方端部を鍔部１０付近で円筒部１６を取り囲むように熱溶着するか又は接着剤により接着し、その後に他方端部がこの接着固定部分に達するように中間部を折り返しておくと、円筒部１６と可撓筒状体１２は略同一直径であるので、可撓筒状体１２は円筒部１６外面に密着した状態となる。
【００２９】
紐状部材１３は、締結ベルト１７と、この締結ベルト１７の２箇所に両端部を固定した紐１８と、この紐１８に取り付けた錘１９とからなり、締結ベルト１７を蛇腹筒１１の鍔部１０付近の円筒部１６に可撓筒状体１２の上から巻き付け、更に締結ベルト１７に設けた公知手段を用いた締結金具２０により締結ベルト１７を締め付けた状態で固定することにより、蛇腹筒１１と紐状部材１３が取付固定されている。
【００３０】
紐状部材１３における錘１９の紐１８への固定手段は、例えば円板状の錘１９に貫通孔を設け、該貫通孔に紐１８を挿通させるなどの手段があるが、錘１９固定方法はこれらに限定されず種々の方法が適用できる。
【００３１】
また、紐状部材１３の蛇腹筒１１への固定方法も図示のものに限定されず、締結ベルト１７以外の取付手段を用いることができる。
【００３２】
この発明の内袋５は、上記のような構成であり、内袋本体６の底部に設けた孔の周囲を内袋本体６と類似の材料からなる補強部材２１で補強し、その後この孔に取付け筒９を内側から挿入し、鍔部８を内袋本体６の底に接着や溶着することによって内部が連通するように取付け、内袋本体６から外部に突出するこの取付け筒９の下端に蛇腹筒１１の上端円筒部１５を接着や溶着等によって接続する。
【００３３】
また、蛇腹筒１１の下端円筒部１６に紐状部材１３を取付固定してノズル７を組み立て、図２（Ａ）のように、底部にノズル７を取付けた内袋５を完成する。
【００３４】
次に、この内袋５を、コンテナ容器に装着及び取り換えのための取り外し手順を図４と図５の説明図及び図６，図７，図８の排出筒４の端部付近の縦断面図を参考にして説明する。
【００３５】
上記のような内袋５をコンテナ容器１内に装填するには、図２（Ａ）のように、内袋本体６を上下に細くて長い扁平状に折り畳み（図４（１）（２））、この状態でノズル７を下にして内袋５をコンテナ容器１内に上面の開口部分から挿入し、重力により垂れ下がった錘１９を先頭にして紐状部材１３を排出筒４内に進入させ、同時に排出筒４の先端開口部側から先端に磁石２２を設けた棒２３を挿入する（図４（３））。
【００３６】
磁石２２が鉄製の錘１９を磁力により吸着した後、棒２３を引き出すと、磁石２２に吸着した錘１９も排出筒４内を先端開口部側へ進行し、ノズル７が排出筒４内に引き込まれ、棒２３を排出筒４から完全に取り出すと錘１９は排出筒４の先端開口より外に出ることになり、続いて紐１８を引っ張り出せば、蛇腹筒１１の鍔部１０が排出筒４の外部に位置する状態になるよう引き出される（図４（４））。
【００３７】
上記蛇腹筒１１の端部に設けた鍔部１０は、排出筒４内を押し縮められた状態で通過し、排出筒４の外に出ると復元し、排出筒４の端部に係止することにより、排出筒４に対して蛇腹筒１１の内側への戻り止めとなる。
【００３８】
また、蛇腹筒１１は、伸縮と可曲性を有しているので、曲がり部分のある排出筒４の形状に対して追従性があり、形状の異なる排出筒４に対して対応することができ、汎用性のあるノズル７を形成することができる。
【００３９】
次に、紐状部材１３の締結金具２０を取り外して締結ベルト１７の締結を解き、（図５（５）、図６）、紐状部材１３を蛇腹筒１１から取り外し、その上から排出筒４の端部に別途用意した開閉バルブ２４を螺合等の手段で取付けることにより、排出筒４の端部開口を閉鎖し、この状態で内袋本体６内に流動物を充填して輸送や格納を行うと共に、収納した流動物の取出しは、開閉バルブ２４を操作することによって行うことができる（図５（６）、図７）。
【００４０】
尚、取り外した紐状部材１３は、他のコンテナ用内袋の紐状部材としてそのまま再利用が可能である。
【００４１】
また、内袋５の取り換えを行う場合は、開閉バルブ２４を取り外し、図８のように、円筒部１６の端部に折り畳んで被せておいた可撓筒状体１２を排出筒４端部外側に引き伸ばし（図５（７））、この部分を紐２５でくくるか、あるいは粘着テープにて閉鎖し、この後、内袋本体６を容器本体３の上面開口部から引き抜けばよく（図５（８））、同時にノズル７も排出筒４内から抜き取られることになり、その際、可撓筒状体１２の端部が閉鎖されているので、取り出し時に蛇腹筒１１の口から排出筒４内に流動物がこぼれる液ダレがない。
【００４２】
なお、図８中符号２６は、蛇腹筒１１の円筒部１６の周囲と可撓筒状体１２の端部の接着固定部を示す。
【００４３】
このように、コンテナ容器１は、容器本体３の内面が内袋本体６で覆われ、排出筒４の内部にノズル７が存在するので、収納した流動物とコンテナ容器１との接触はなく、流動物の変更時に内袋５を取り換えるだけでよく、容器本体３内及び排出筒４内の洗浄は不要となる。
【実施例２】
【００４４】
次に、この発明の内袋における紐状部材の他の例を、図９に基づいて説明するが、実施例１と同様の形状及び作用を有する部品、部材については、同じ符号を付して説明する。
【００４５】
この実施例の内袋本体の底部に接続された紐状部材２７は、蛇腹筒１１の円筒部１６の外面に両端部を接続した取り外し（切断）可能な接続部材としての２本の樹脂製テープ２８と、この２本のテープ２８の交点に一方端が接続された紐２９と、この紐２９の他方端に設けられた錘１９とからなる。
【００４６】
２本のテープ２８は、簡単な操作により切断が可能な材質と厚みを有し、その両端部を蛇腹筒１１の円筒部１６の可撓筒状体１２が取り付けられた位置より上側（蛇腹部１４寄り）の表面に熱溶着等の適宜手段にて接続され、蛇腹筒１１の下側の交差部分で熱溶着等適宜手段で一体化されている。
【００４７】
テープ２８の交点において、紐２９の一方端部が適宜手段で取り付けられ、紐２９の他方端部には鉄等の強磁性体材料からなる錘１９が取り付けられている。
【００４８】
この実施例２の場合、内袋５のコンテナ容器１内への導入方法は実施例１と同様であり、排出筒４内を先行して蛇腹筒１１を案内した紐状部材２７をテープ２８を切断することにより取り外し、その後開閉バルブ２４を取り付ける。
【実施例３】
【００４９】
この発明の内袋における紐状部材の更に他の例を、図１０に基づいて説明するが、実施例１や実施例２と同様の形状及び作用を有する部品、部材については、同じ符号を付して説明する。
【００５０】
この実施例３の紐状部材３０を用いるには、円筒部３４の下端部より上寄りの外周に鍔部３１が設けられ、更に下側の下端部付近に数カ所（図示例示では４カ所）の穴３２が設けられた伸縮自在の蛇腹筒３３を用いる。
【００５１】
紐状部材３０は、蛇腹筒３３の下端部の穴３２に係合可能なフック３５を一方端に有する紐３６と、この紐３６の他方端に設けられた、錘１９とからなる。
【００５２】
上記蛇腹筒３３やその鍔部３１の作用、及び可撓筒状体１２や錘１９の構造と作用は、他の実施例と同様であり説明を省略する。
【００５３】
紐３６に設けられたフック３５は、釣り針形状をしており、穴３２に係合した際には容易には外れないようになっており、４ヶ所のうちのいずれかの穴３２へ係合させ、係合状態にて内袋を容器内へ装着する。なお、穴３２は１ヶ所だけ設けておいてもよい。
【００５４】
フック３５と錘１９と一体化した紐３６は、取り外しに際しても何ら破損や切断が行なわれておらず、このフック３５と錘１９付きの紐３６はそのままの形で何度でも再利用することができ、経済的である。
【図面の簡単な説明】
【００５５】
【図１】この発明の内袋を装着したコンテナ容器の一部切り欠き正面図。
【図２】（Ａ）は完成した内袋の折り畳んだ状態の正面図、（Ｂ）は内袋本体を分解して示す一部切り欠き正面図。
【図３】ノズルの先端部付近の斜視図。
【図４】（１）〜（４）はこの発明の内袋のコンテナ容器への装着及び取り外しを順を追って示す説明図。
【図５】（５）〜（８）はこの発明のコンテナ容器への装着及び取り外しを順を追って示す説明図。
【図６】ノズルを排出筒内に挿入して紐状部材を取り外した状態の一部切り欠き正面図。
【図７】排出筒の開口を開閉バルブで閉鎖した状態の拡大した縦断面図。
【図８】内袋の取り換え時のために、袋状部材の端部をしばった状態を示す縦断面図。
【図９】（Ａ）は他の実施例のノズルの要部を拡大した一部切り欠き正面図、（Ｂ）は同上における斜視図。
【図１０】更に他のノズルの要部を拡大した斜視図。
【符号の説明】
【００５６】
１        コンテナ容器
２        支持脚
３        容器本体
４        排出筒
５        内袋
６        内袋本体
７        ノズル
８        鍔部
９        取付け筒
１０      鍔部
１１      蛇腹筒
１２      可撓筒状体
１３      紐状部材
１４      蛇腹部
１５      円筒部
１６      円筒部
１７      締結ベルト
１８      紐
１９      錘
２０      締結金具
２１      補強部材
２２      磁石
２３      棒
２４      開閉バルブ
２５      紐
２６      接着固定部
２７      紐状部材
２８      テープ
２９      紐
３０      紐状部材
３１      鍔部
３２      穴
３３      蛇腹筒
３４      円筒部
３５      フック
３６      紐
【図１】
2005280841.tif 000003
【図２】
2005280841.tif 000004
【図３】
2005280841.tif 000005
【図４】
2005280841.tif 000006
【図５】
2005280841.tif 000007
【図６】
2005280841.tif 000008
【図７】
2005280841.tif 000009
【図８】
2005280841.tif 000010
【図９】
2005280841.tif 000011
【図１０】
2005280841.tif 000012